(57)【特許請求の範囲】
【請求項１】
それぞれが吸着剤を有して該吸着剤を空気と接触させる第１及び第２の吸着ユニット（51,52,111,112）を備え、
第１の吸着ユニット（51,111）で吸着剤を再生して第２空気を加湿すると同時に第２の吸着ユニット（52,112）で第１空気を除湿する第１動作と、第２の吸着ユニット（52,112）で吸着剤を再生して第２空気を加湿すると同時に第１の吸着ユニット（51,111）で第１空気を除湿する第２動作とを所定の切換時間間隔で交互に繰り返し、
除湿された第１空気を室内へ供給する除湿運転と、加湿された第２空気を室内へ供給する加湿運転とを選択的に行う調湿装置であって、
除湿運転中における上記切換時間間隔が、加湿運転中における上記切換時間間隔よりも短くなっている
ことを特徴とする調湿装置。
【請求項２】
請求項１において、
除湿運転中には、第１空気として室外空気を、第２空気として室内空気をそれぞれ取り込み、除湿された第１空気を室内へ供給して加湿された第２空気を室外へ排出する一方、
加湿運転中には、第１空気として室内空気を、第２空気として室外空気をそれぞれ取り込み、加湿された第２空気を室内へ供給して除湿された第１空気を室外へ排出する
ことを特徴とする調湿装置。
【請求項３】
請求項１又は２において、
表面に吸着剤が担持された吸着熱交換器（51,52）が複数接続されると共に、第１の吸着熱交換器（51）が放熱器となって第２の吸着熱交換器（52）が蒸発器となる第１の冷凍サイクル動作と、第２の吸着熱交換器（52）が放熱器となって第１の吸着熱交換器（51）が蒸発器となる第２の冷凍サイクル動作とが切換可能な冷媒回路（50）を備え、
上記冷媒回路（50）では、第１動作中に第１の冷凍サイクル動作が、第２動作中に第２の冷凍サイクル動作がそれぞれ行われ、
上記第１の吸着熱交換器（51）が第１の吸着ユニット（51,111）を、上記第２の吸着熱交換器（52）が第２の吸着ユニット（52,112）をそれぞれ構成している
ことを特徴とする調湿装置。
【発明の詳細な説明】
【技術分野】
【０００１】
本発明は、吸着剤を用いて空気の湿度を調節する調湿装置に関するものである。
【背景技術】
【０００２】
従来より、吸着剤を利用して空気の湿度調節を行う調湿装置が知られている。特許文献１には、表面に吸着剤が担持された吸着熱交換器を備えた調湿装置が開示されている。この調湿装置は、いわゆるバッチ式の動作を行う。
【０００３】
具体的に、特許文献１に開示された調湿装置には、２つの吸着熱交換器を備えた冷媒回路が設けられている。この冷媒回路は、第１の吸着熱交換器が凝縮器となって第２の吸着熱交換器が蒸発器となる第１動作と、第２の吸着熱交換器が凝縮器となって第１の吸着熱交換器が蒸発器となる第２動作とを、所定の時間間隔で交互に行う。蒸発器として動作する吸着熱交換器では、吸着剤に空気中の水分が吸着される。凝縮器として動作する吸着熱交換器では、水分が吸着剤から脱離して空気に付与される。
【０００４】
特許文献１に開示された調湿装置は、各吸着熱交換器を通過した空気の一方を室内へ供給して他方を室外へ排出する。除湿運転中の調湿装置では、第１及び第２の吸着熱交換器のうち蒸発器として動作する方を通過した空気が室内へ供給されて凝縮器として動作する方を通過した空気が室外へ排出される。また、加湿運転中の調湿装置では、第１及び第２の吸着熱交換器のうち蒸発器として動作する方を通過した空気が室外へ排出されて凝縮器として動作する方を通過した空気が室内へ供給される。
【特許文献１】特開２００６−０７８１０８号公報
【発明の開示】
【発明が解決しようとする課題】
【０００５】
除湿運転中や加湿運転中の調湿装置では、吸着熱交換器に空気中の水分が吸着されてゆく。その際には、吸着剤を担持する吸着熱交換器が実質的な飽和状態となった時点で第１動作と第２動作の相互切り換えを行えば、調湿装置の調湿能力が最大限に発揮されるので望ましい。
【０００６】
一方、調湿装置に除湿運転が求められる場合は、調湿装置に加湿運転が求められる場合に比べ、室内外の空気の湿度が高くなるのが通常である。つまり、除湿運転中には、加湿運転中に比べて、吸着熱交換器が実質的な飽和状態に達するまでに要する時間が短くなる。
【０００７】
このため、例えば第１動作と第２動作の切り換え時間間隔が、加湿運転中に吸着熱交換器が実質的な飽和状態に達した時点で動作が切り換わるような値に設定されていると、除湿運転中には、吸着熱交換器が実質的な飽和状態に達してからある程度の時間が経過した後でなければ動作が切り換わらないことになる。また、第１動作と第２動作の切り換え時間間隔が、除湿運転中に吸着熱交換器が実質的な飽和状態に達した時点で動作が切り換わるような値に設定されていると、加湿運転中には、吸着熱交換器が実質的な飽和状態に達する前に動作が切り換わってしまうことになる。従って、第１動作と第２動作の切り換え時間間隔が除湿運転中と加湿運転中とで同じ値に設定されていると、除湿運転と加湿運転の一方でしか調湿装置の能力を充分に発揮させることができない。
【０００８】
本発明は、かかる点に鑑みてなされたものであり、その目的は、いわゆるバッチ式の動作を行う調湿装置において、除湿運転と加湿運転の両方で調湿装置の調湿能力を充分に発揮させることにある。
【課題を解決するための手段】
【０００９】
第１の発明は、それぞれが吸着剤を有して該吸着剤を空気と接触させる第１及び第２の吸着ユニット（51,52,111,112）を備え、第１の吸着ユニット（51,111）で吸着剤を再生して第２空気を加湿すると同時に第２の吸着ユニット（52,112）で第１空気を除湿する第１動作と、第２の吸着ユニット（52,112）で吸着剤を再生して第２空気を加湿すると同時に第１の吸着ユニット（51,111）で第１空気を除湿する第２動作とを所定の切換時間間隔で交互に繰り返し、除湿された第１空気を室内へ供給する除湿運転と、加湿された第２空気を室内へ供給する加湿運転とを選択的に行う調湿装置を対象とする。そして、除湿運転中における上記切換時間間隔が、加湿運転中における上記切換時間間隔よりも短くなっているものである。
【００１０】
第１の発明の調湿装置（10）では、除湿運転と加湿運転が選択的に行われる。除湿運転中および加湿運転中の調湿装置（10）は、第１動作と第２動作とを相互に繰り返し行う。第１動作中の調湿装置（10）では、第１の吸着ユニット（51,111）へ第２空気が送られ、第２の吸着ユニット（52,112）へ第１空気が送られる。第１の吸着ユニット（51,111）では、吸着剤の再生が行われ、吸着剤から脱離した水分が第２空気に付与される。第２の吸着ユニット（52,112）では、第１空気中の水分が吸着剤に吸着される。一方、第２動作中の調湿装置（10）では、第１の吸着ユニット（51,111）へ第１空気が送られ、第２の吸着ユニット（52,112）へ第２空気が送られる。第１の吸着ユニット（51,111）では、第１空気中の水分が吸着剤に吸着される。第２の吸着ユニット（52,112）では、吸着剤の再生が行われ、吸着剤から脱離した水分が第２空気に付与される。そして、除湿運転中には吸着ユニット（51,52,111,112）で除湿された第１空気が室内へ供給され、加湿運転中には吸着ユニット（51,52,111,112）で加湿された第２空気が室内へ供給される。
【００１１】
第１の発明の調湿装置（10）では、第１動作と第２動作が所定の切換時間間隔で交互に実行される。また、この調湿装置（10）では、除湿運転中において第１動作と第２動作が相互に切り換わる時間間隔（即ち、切換時間間隔）が、加湿運転中において第１動作と第２動作が相互に切り換わる時間間隔（即ち、切換時間間隔）よりも短くなっている。例えば、除湿運転中には第１動作と第２動作が３分間毎に交互に実行されるとすると、加湿運転中には第１動作と第２動作が３分間よりも長い時間間隔（例えば４分間毎）で交互に実行されることになる。つまり、この調湿装置（10）において、１回の第１／第２動作の継続時間は、除湿運転中の方が加湿運転中に比べて短くなる。
【００１２】
第２の発明は、上記第１の発明において、除湿運転中には、第１空気として室外空気を、第２空気として室内空気をそれぞれ取り込み、除湿された第１空気を室内へ供給して加湿された第２空気を室外へ排出する一方、加湿運転中には、第１空気として室内空気を、第２空気として室外空気をそれぞれ取り込み、加湿された第２空気を室内へ供給して除湿された第１空気を室外へ排出するものである。
【００１３】
第２の発明では、調湿装置（10）によって室内の換気が行われる。つまり、除湿運転中の調湿装置（10）は、第１空気として取り込んだ室外空気を吸着ユニット（51,52,111,112）で除湿してから室内へ供給すると同時に、第２空気として取り込んだ室内空気を吸着ユニット（51,52,111,112）から脱離した水分と共に室外へ排出する。また、加湿運転中の調湿装置（10）は、第２空気として取り込んだ室外空気を吸着ユニット（51,52,111,112）で加湿してから室内へ供給すると同時に、第１空気として取り込んだ室内空気を吸着ユニット（51,52,111,112）で除湿してから室外へ排出する。
【００１４】
第３の発明は、上記第１又は第２の発明において、表面に吸着剤が担持された吸着熱交換器（51,52）が複数接続されると共に、第１の吸着熱交換器（51）が放熱器となって第２の吸着熱交換器（52）が蒸発器となる第１の冷凍サイクル動作と、第２の吸着熱交換器（52）が放熱器となって第１の吸着熱交換器（51）が蒸発器となる第２の冷凍サイクル動作とが切換可能な冷媒回路（50）を備え、上記冷媒回路（50）では、第１動作中に第１の冷凍サイクル動作が、第２動作中に第２の冷凍サイクル動作がそれぞれ行われ、上記第１の吸着熱交換器（51）が第１の吸着ユニットを、上記第２の吸着熱交換器（52）が第２の吸着ユニットをそれぞれ構成しているものである。
【００１５】
第３の発明では、吸着熱交換器（51,52）を備える冷媒回路（50）が調湿装置（10）に設けられ、この吸着熱交換器（51,52）が吸着ユニットを構成する。冷媒回路（50）は、第１動作中には第１冷凍サイクル動作を行い、第２動作中には第２冷凍サイクル動作を行う。
【００１６】
この第３の発明において、第１の冷凍サイクル動作中には、放熱器となる第１の吸着熱交換器（51）へ第２空気が送られて、蒸発器となる第２の吸着熱交換器（52）へ第１空気が送られる。そして、第１の吸着熱交換器（51）では、冷媒により加熱されて吸着剤が再生され、吸着剤から脱離した水分が第２空気に付与される。また、第２の吸着熱交換器（52）では、第１空気中の水分が吸着剤に吸着され、その際に生じる吸着熱を冷媒が吸熱する。一方、第２の冷凍サイクル動作中には、蒸発器となる第１の吸着熱交換器（51）へ第１空気が送られて、放熱器となる第２の吸着熱交換器（52）へ第２空気が送られる。そして、第１の吸着熱交換器（51）では、第１空気中の水分が吸着剤に吸着され、その際に生じる吸着熱を冷媒が吸熱する。また、第２の吸着熱交換器（52）では、冷媒により加熱されて吸着剤が再生され、吸着剤から脱離した水分が第２空気に付与される。
【発明の効果】
【００１７】
上述したように、調湿装置（10）で除湿運転が行われる場合は、調湿装置（10）で加湿運転が行われる場合に比べ、吸着ユニット（51,52,111,112）に水分を奪われる第１空気の湿度が高くなるのが通常である。つまり、除湿運転中には、加湿運転中に比べて、吸着ユニット（51,52,111,112）が実質的な飽和状態に達するまでに要する時間が短くなる。
【００１８】
それに対し、本発明の調湿装置（10）では、除湿運転中における第１動作と第２動作の切り換え時間間隔が、加湿運転中における第１動作と第２動作の切り換え時間間隔よりも短くなっている。つまり、第１空気の湿度が比較的低く、吸着ユニット（51,52,111,112）が実質的な飽和状態に達するまでに要する時間が比較的長い加湿運転中には、第１／第２動作の継続時間を長く設定する一方、第１空気の湿度が比較的高く、吸着ユニット（51,52,111,112）が実質的な飽和状態に達するまでに要する時間が比較的短い除湿運転中には、第１／第２動作の継続時間を短く設定している。
【００１９】
従って、本発明によれば、除湿運転と加湿運転の両方において、吸着ユニット（51,52,111,112）が実質的な飽和状態に達する時点と、第１動作と第２動作の一方から他方への切り換えが行われる時点との差を短縮することができる。その結果、除湿運転と加湿運転の両方で調湿装置（10）の調湿能力を充分に発揮させることが可能となる。
【発明を実施するための最良の形態】
【００２０】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２１】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２２】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２３】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２４】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２５】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００２６】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００２７】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００２８】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００２９】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３０】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００３１】
各吸着熱交換器（51,52）は、いわゆるクロスフィン型のフィン・アンド・チューブ熱交換器の表面に吸着剤を担持させたものであって、吸着ユニットを構成している。各吸着熱交換器（51,52）は、全体として長方形の厚板状あるいは扁平な直方体状に形成されている。そして、各吸着熱交換器（51,52）は、その前面及び背面が上流側仕切板（71）及び下流側仕切板（72）と平行になる姿勢で、熱交換器室（37,38）内に立設されている。
【００３２】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３３】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００３４】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００３５】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００３６】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００３７】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００３８】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００３９】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４０】
なお、図２の右側面図及び左側面図では、第１バイパス通路（81）、第２バイパス通路（82）、第１バイパス用ダンパ（83）、及び第２バイパス用ダンパ（84）の図示を省略している。
【００４１】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００４２】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００４３】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４４】
冷媒回路（50）において、圧縮機（53）の吐出側と四方切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００４５】
また、冷媒回路（50）において、圧縮機（53）の吸入側と四方切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００４６】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００４７】
〈コントローラの構成〉
調湿装置（10）には、制御手段としてのコントローラ（60）が設けられている。図１及び図２では省略されているが、ケーシング（11）の前面パネル部（12）には電装品箱が取り付けられており、この電装品箱に収容された制御基板がコントローラ（60）を構成している。
【００４８】
コントローラ（60）には、内気湿度センサ（96）、内気温度センサ、外気湿度センサ（97）、及び外気温度センサの計測値が入力されている。また、コントローラ（60）には、冷媒回路（50）に設けられた各センサ（91,92,…）の計測値が入力されている。コントローラ（60）は、入力されたこれらの計測値に基づいて、調湿装置（10）の運転制御を行う。
【００４９】
調湿装置（10）では、コントローラ（60）の制御動作によって、後述する除湿換気運転と加湿換気運転と単純換気運転とが切り換えられる。また、コントローラ（60）は、これらの運転中において、各ダンパ（41〜48）、各ファン（25,26）、圧縮機（53）、電動膨張弁（55）、及び四方切換弁（54）の動作を制御する。
【００５０】
−運転動作−
本実施形態の調湿装置（10）は、除湿運転である除湿換気運転と、加湿運転である加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００５１】
〈除湿換気運転〉
除湿換気運転中の調湿装置（10）では、後述する第１動作と第２動作が３分間隔で交互に繰り返される。この除湿換気運転中において、第１バイパス用ダンパ（83）及び第２バイパス用ダンパ（84）は、常に閉状態となる。
【００５２】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００５３】
先ず、除湿換気運転の第１動作について説明する。図４に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。つまり、冷媒回路（50）では、第１冷凍サイクル動作が行われる。
【００５４】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００５５】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００５６】
次に、除湿換気運転の第２動作について説明する。図５に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。つまり、冷媒回路（50）では、第２冷凍サイクル動作が行われる。
【００５７】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００５８】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００５９】
〈加湿換気運転〉
加湿換気運転中の調湿装置（10）では、後述する第１動作と第２動作が４分間隔で交互に繰り返される。この加湿換気運転中において、第１バイパス用ダンパ（83）及び第２バイパス用ダンパ（84）は、常に閉状態となる。
【００６０】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００６１】
先ず、加湿換気運転の第１動作について説明する。図６に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。つまり、冷媒回路（50）では、第１冷凍サイクル動作が行われる。
【００６２】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００６３】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００６４】
次に、加湿換気運転の第２動作について説明する。図７に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。つまり、冷媒回路（50）では、第２冷凍サイクル動作が行われる。
【００６５】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００６６】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００６７】
〈単純換気運転〉
単純換気運転中における調湿装置（10）の動作について、図８を参照しながら説明する。
【００６８】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。
【００６９】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００７０】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００７１】
−コントローラの制御動作−
コントローラ（60）が行う制御動作について説明する。
【００７２】
上述したように、コントローラ（60）は、除湿換気運転中や加湿換気運転中に各ダンパ（41〜48）や四方切換弁（54）の動作を制御することによって、第１動作と第２動作の切り換えを行う。コントローラ（60）は、除湿換気運転中には３分間毎に第１動作と第２動作を相互に切り換える一方、加湿換気運転中には４分間毎に第１動作と第２動作を相互に切り換える。
【００７３】
このように、本実施形態のコントローラ（60）において、第１動作と第２動作の切り換え時間間隔は、除湿換気運転中の方が加湿換気運転中に比べて短い時間に設定されている。その理由について説明する。
【００７４】
除湿換気運転中の調湿装置（10）では、第１空気としてケーシング（11）内に取り込まれた室外空気が、蒸発器として動作している吸着熱交換器（51,52）へ送られる。一方、加湿湿換気運転中の調湿装置（10）では、第１空気としてケーシング（11）内に取り込まれた室内空気が、蒸発器として動作している吸着熱交換器（51,52）へ送られる。
【００７５】
除湿換気運転が行われるのは、夏季等の室内の冷房が行われる期間（いわゆる冷房シーズン）であるのが一般的であり、加湿換気運転が行われるのは、冬季等の室内の暖房が行われる期間（いわゆる暖房シーズン）であるのが一般的である。そして、通常であれば、冷房シーズンにおける室外空気の温度と相対湿度は、暖房シーズンにおける室内空気の温度と相対湿度に比べて高くなる。つまり、蒸発器として動作している吸着熱交換器（51,52）へ第１空気として送られる空気の相対湿度は、除湿換気運転中の方が加湿換気運転中に比べて高くなるのが通常である。
【００７６】
一方、単位時間当たりに吸着熱交換器（51,52）へ吸着される水分の量は、吸着熱交換器（51,52）へ送られる空気の相対湿度が高いほど多くなる。このため、第１動作や第２動作が開始された時点から、吸着熱交換器（51,52）に吸着された水分の量がある程度大きな値に達するまでに要する時間は、除湿換気運転中の方が加湿換気運転中に比べて短くなる。
【００７７】
また、単位時間当たりに吸着熱交換器（51,52）へ吸着される水分の量は、吸着熱交換器（51,52）における水分の吸着量が増えるにつれて減少してゆく。このため、吸着熱交換器（51,52）に吸着された水分の量がある程度大きな値に達すると、その後に吸着熱交換器（51,52）へ空気を供給し続けても、吸着熱交換器（51,52）における水分の吸着量は殆ど増えてゆかなくなる。つまり、吸着熱交換器（51,52）は、実質的な飽和状態となる。そこで、本実施形態のコントローラ（60）では、第１動作と第２動作の切り換え時間間隔が、加湿換気運転中に比べて除湿換気運転中の方が短い時間に設定されている。
【００７８】
なお、本実施形態のコントローラ（60）では、除湿換気運転中における第１動作と第２動作の切り換え時間間隔が３分間に設定され、加湿換気運転中における第１動作と第２動作の切り換え時間間隔が４分間に設定されているが、これらの値は単なる一例である。
つまり、第１動作と第２動作の切り換え時間間隔は、例えば吸着熱交換器（51,52）の大きさや吸着剤の性能等に応じて適宜設定されるものである。ただし、除湿換気運転中における第１動作と第２動作の切り換え時間間隔は、加湿換気運転中における第１動作と第２動作の切り換え時間間隔の６０％以上９０％以下の範囲の値に設定されるのが望ましく、その７０％以上８０％以下の範囲の値に設定されるのが更に望ましい。
【００７９】
−実施形態１の効果−
本実施形態の調湿装置（10）では、除湿換気運転中における第１動作と第２動作の切り換え時間間隔が、加湿換気運転中における第１動作と第２動作の切り換え時間間隔よりも短くなっている。つまり、第１空気の湿度が比較的低く、吸着熱交換器（51,52）が概ね飽和状態に達するまでに要する時間が比較的長い加湿運転中には、第１／第２動作の継続時間を長く設定する一方、第１空気の湿度が比較的高く、吸着熱交換器（51,52）が実質的な飽和状態に達するまでに要する時間が比較的短い除湿換気運転中には、第１動作および第２動作の継続時間を短く設定している。
【００８０】
従って、本実施形態によれば、除湿換気運転と加湿換気運転の両方において、吸着熱交換器（51,52）が実質的な飽和状態に達する時点と、第１動作と第２動作の一方から他方への切り換えが行われる時点との差を短縮することができる。その結果、除湿換気運転と加湿換気運転の両方で調湿装置（10）の調湿能力を充分に発揮させることが可能となる。
【００８１】
−実施形態１の変形例１−
本実施形態の調湿装置（10）は、除湿換気運転、加湿換気運転、及び単純換気運転に加えて、除湿運転としての除湿循環運転と、加湿運転としての加湿循環運転とを行うように構成されていてもよい。ここでは、除湿循環運転中と加湿循環運転中における調湿装置（10）の動作を説明する。
【００８２】
〈除湿循環運転〉
除湿循環運転中の調湿装置（10）は、室内空気を内気吸込口（23）からケーシング（11）内へ第１空気として取り込み、室外空気を外気吸込口（24）からケーシング（11）内へ第２空気として取り込む。そして、調湿装置（10）は、第１空気として取り込んだ室内空気を除湿して室内へ供給する一方、第２空気として取り込んだ室外空気を吸着熱交換器（51,52）から脱離した水分と共に室外へ排出する。
【００８３】
除湿循環運転中には、除湿換気運転中と同様に、第１動作と第２動作が３分間隔で交互に実行される。除湿循環運転の第１動作と第２動作における各ダンパ（41〜48）の動作は、除湿換気運転における動作と異なっている。ただし、第１バイパス用ダンパ（83）及び第２バイパス用ダンパ（84）は、除湿換気運転中と同様に、閉状態となる。
【００８４】
先ず、除湿循環運転の第１動作について説明する。図９に示すように、この第１動作中には、第２内気側ダンパ（42）、第１外気側ダンパ（43）、第２給気側ダンパ（46）、及び第１排気側ダンパ（47）が開状態となり、第１内気側ダンパ（41）、第２外気側ダンパ（44）、第１給気側ダンパ（45）、及び第２排気側ダンパ（48）が閉状態となる。また、冷媒回路（50）では、第１冷凍サイクル動作が行われる。
【００８５】
内気側通路（32）へ流入した第１空気は、第２内気側ダンパ（42）を通って第２熱交換器室（38）へ流入し、第２吸着熱交換器（52）を通過する際に除湿される。除湿された第１空気は、第２給気側ダンパ（46）を通って給気側通路（31）へ流入し、給気ファン室（36）を通過後に給気口（22）を通って室内へ供給される。
【００８６】
一方、外気側通路（34）へ流入した第２空気は、第１外気側ダンパ（43）を通って第１熱交換器室（37）へ流入し、第１吸着熱交換器（51）から脱離した水分を付与される。第１吸着熱交換器（51）を通過した第２空気は、第１排気側ダンパ（47）を通って排気側通路（33）へ流入し、排気ファン室（35）を通過後に排気口（21）を通って室外へ排出される。
【００８７】
次に、除湿循環運転の第２動作について説明する。図１０に示すように、この第２動作中には、第１内気側ダンパ（41）、第２外気側ダンパ（44）、第１給気側ダンパ（45）、及び第２排気側ダンパ（48）が開状態となり、第２内気側ダンパ（42）、第１外気側ダンパ（43）、第２給気側ダンパ（46）、及び第１排気側ダンパ（47）が閉状態となる。また、冷媒回路（50）では、第２冷凍サイクル動作が行われる。
【００８８】
内気側通路（32）へ流入した第１空気は、第１内気側ダンパ（41）を通って第１熱交換器室（37）へ流入し、第１吸着熱交換器（51）を通過する際に除湿される。除湿された第１空気は、第１給気側ダンパ（45）を通って給気側通路（31）へ流入し、給気ファン室（36）を通過後に給気口（22）を通って室内へ供給される。
【００８９】
一方、外気側通路（34）へ流入した第２空気は、第２外気側ダンパ（44）を通って第２熱交換器室（38）へ流入し、第２吸着熱交換器（52）から脱離した水分を付与される。第２吸着熱交換器（52）を通過した第２空気は、第２排気側ダンパ（48）を通って排気側通路（33）へ流入し、排気ファン室（35）を通過後に排気口（21）を通って室外へ排出される。
【００９０】
〈加湿循環運転〉
加湿循環運転中の調湿装置（10）は、室内空気を内気吸込口（23）からケーシング（11）内へ第２空気として取り込み、室外空気を外気吸込口（24）からケーシング（11）内へ第１空気として取り込む。そして、調湿装置（10）は、第１空気として取り込んだ室内空気を加湿して室内へ供給する一方、第２空気として取り込んだ室外空気を除湿してから室外へ排出する。
【００９１】
加湿循環運転中には、加湿換気運転中と同様に、第１動作と第２動作が４分間隔で交互に実行される。加湿循環運転の第１動作と第２動作における各ダンパ（41〜48）の動作は、加湿換気運転における動作と異なっている。ただし、第１バイパス用ダンパ（83）及び第２バイパス用ダンパ（84）は、加湿換気運転中と同様に、閉状態となる。
【００９２】
先ず、加湿循環運転の第１動作について説明する。図１１に示すように、この第１動作中には、第１内気側ダンパ（41）、第２外気側ダンパ（44）、第１給気側ダンパ（45）、及び第２排気側ダンパ（48）が開状態となり、第２内気側ダンパ（42）、第１外気側ダンパ（43）、第２給気側ダンパ（46）、及び第１排気側ダンパ（47）が閉状態となる。また、冷媒回路（50）では、第１冷凍サイクル動作が行われる。
【００９３】
外気側通路（34）へ流入した第１空気は、第２外気側ダンパ（44）を通って第２熱交換器室（38）へ流入し、第２吸着熱交換器（52）を通過する際に除湿される。除湿された第１空気は、第２排気側ダンパ（48）を通って排気側通路（33）へ流入し、排気ファン室（35）を通過後に排気口（21）を通って室外へ排出される。
【００９４】
一方、内気側通路（32）へ流入した第２空気は、第１内気側ダンパ（41）を通って第１熱交換器室（37）へ流入し、第１吸着熱交換器（51）から脱離した水分を付与される。第１吸着熱交換器（51）を通過する際に加湿された第２空気は、第１給気側ダンパ（45）を通って給気側通路（31）へ流入し、給気ファン室（36）を通過後に給気口（22）を通って室内へ供給される。
【００９５】
次に、加湿循環運転の第２動作について説明する。図１２に示すように、この第２動作中には、第２内気側ダンパ（42）、第１外気側ダンパ（43）、第２給気側ダンパ（46）、及び第１排気側ダンパ（47）が開状態となり、第１内気側ダンパ（41）、第２外気側ダンパ（44）、第１給気側ダンパ（45）、及び第２排気側ダンパ（48）が閉状態となる。また、冷媒回路（50）では、第２冷凍サイクル動作が行われる。
【００９６】
外気側通路（34）へ流入した第１空気は、第１外気側ダンパ（43）を通って第１熱交換器室（37）へ流入し、第１吸着熱交換器（51）を通過する際に除湿される。除湿された第１空気は、第１排気側ダンパ（47）を通って排気側通路（33）へ流入し、排気ファン室（35）を通過後に排気口（21）を通って室外へ排出される。
【００９７】
一方、内気側通路（32）へ流入した第２空気は、第２内気側ダンパ（42）を通って第２熱交換器室（38）へ流入し、第２吸着熱交換器（52）から脱離した水分を付与される。第２吸着熱交換器（52）を通過する際に加湿された第２空気は、第２給気側ダンパ（46）を通って給気側通路（31）へ流入し、給気ファン室（36）を通過後に給気口（22）を通って室内へ供給される。
【００９８】
〈第１動作と第２動作の切り換え時間間隔〉
上述したように、除湿循環運転中には室内空気が第１空気として吸着熱交換器（51,52）へ供給され、加湿循環運転中には室外空気が第１空気として吸着熱交換器（51,52）へ供給される。除湿循環運転は、除湿換気運転と同様に、夏季等の冷房シーズンに行われるのが一般的である。また、加湿循環運転は、加湿換気運転と同様に、冬季等の暖房シーズンに行われるのが一般的である。そして、通常の場合、蒸発器として動作している吸着熱交換器（51,52）へ第１空気として送られる空気の相対湿度は、除湿循環運転中の方が加湿循環運転中に比べて高くなる。そこで、コントローラ（60）では、第１動作と第２動作の切り換え時間間隔が、加湿循環運転中に比べて除湿循環運転中の方が短い時間に設定されている。
【００９９】
−実施形態の変形例２−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１００】
−実施形態の変形例３−
上記実施形態では、調湿装置（10）が次のように構成されていてもよい。
【０１０１】
図１３に示すように、本変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えている。各吸着素子（111,112）には多数の空気通路が形成されており、この空気通路を通過する際に空気が吸着剤と接触する。
【０１０２】
本変形例の調湿装置（10）は、除湿換気運転と、加湿換気運転と、単純換気運転とを選択的に行う。
【０１０３】
除湿換気運転中や加湿換気運転中の調湿装置（10）は、第１動作と第２動作を所定の時間間隔で交互に繰り返し行う。第１動作と第２動作の切り換え時間感覚は、除湿換気運転中の方が加湿換気運転中に比べて短くなっている。除湿換気運転中の調湿装置（10）は、室外空気を第１空気として取り込み、室内空気を第２空気として取り込む。一方、加湿換気運転中の調湿装置（10）は、室内空気を第１空気として取り込み、室外空気を第２空気として取り込む。
【０１０４】
先ず、除湿換気運転及び加湿換気運転の第１動作について、図Ｘ(Ａ)を参照しながら説明する。第１動作中の調湿装置（10）は、凝縮器（102）で加熱された第２空気を第１吸着素子（111）へ供給する。第１吸着素子（111）では、吸着剤が第２空気によって加熱され、吸着剤から水分が脱離する。また、第１動作中の調湿装置（10）は、第１空気を第２吸着素子（112）へ供給し、第１空気中の水分を第２吸着素子（112）に吸着させる。第２吸着素子（112）に水分を奪われた第１空気は、蒸発器（104）を通過する際に冷却される。
【０１０５】
次に、除湿換気運転及び加湿換気運転の第２動作について、図Ｘ(Ｂ)を参照しながら説明する。第２動作中の調湿装置（10）は、凝縮器（102）で加熱された第２空気を第２吸着素子（112）へ供給する。第２吸着素子（112）では、吸着剤が第２空気によって加熱され、吸着剤から水分が脱離する。また、第１動作中の調湿装置（10）は、第１空気を第１吸着素子（111）へ供給し、第１空気中の水分を第１吸着素子（111）に吸着させる。第１吸着素子（111）に水分を奪われた第１空気は、蒸発器（104）を通過する際に冷却される。
【０１０６】
そして、除湿換気運転中の調湿装置（10）は、除湿された第１空気（室外空気）を室内へ供給し、吸着素子（111,112）から脱離した水分を第２空気（室内空気）と共に室外へ排出する。また、加湿換気運転中の調湿装置（10）は、加湿された第２空気（室外空気）を室内へ供給し、吸着素子（111,112）に水分を奪われた第１空気（室内空気）を室外へ排出する。
【０１０７】
単純換気運転中の調湿装置（10）では、冷媒回路（100）の圧縮機（101）が停止状態になると共に、第１吸着素子（111）と第２吸着素子（112）のうち一方を室外空気が通過して他方を室内空気が通過する。そして、室外空気は吸着素子（111,112）を通過後に室内へ供給され、室内空気は吸着素子（111,112）を通過後に室外へ排出される。単純換気運転中の調湿装置（10）において、室外空気や室内空気の流通経路の切り換えは行われない。
【０１０８】
なお、以上の実施形態は、本質的に好ましい例示であって、本発明、その適用物、あるいはその用途の範囲を制限することを意図するものではない。
【産業上の利用可能性】
【０１０９】
以上説明したように、本発明は、吸着剤を用いて空気の湿度を調節する調湿装置について有用である。
【図面の簡単な説明】
【０１１０】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１動作中の動作を示すものであり、(Ｂ)は第２動作中の動作を示すものである。
【図４】除湿換気運転の第１動作における空気の流れを示す調湿装置の概略の平面図、右側面図、及び左側面図である。
【図５】除湿換気運転の第２動作における空気の流れを示す調湿装置の概略の平面図、右側面図、及び左側面図である。
【図６】加湿換気運転の第１動作における空気の流れを示す調湿装置の概略の平面図、右側面図、及び左側面図である。
【図７】加湿換気運転の第２動作における空気の流れを示す調湿装置の概略の平面図、右側面図、及び左側面図である。
【図８】単純換気運転における空気の流れを示す調湿装置の概略の平面図、右側面図、及び左側面図である。
【図９】除湿循環運転の第１動作における空気の流れを示す調湿装置の概略の平面図、右側面図、及び左側面図である。
【図１０】除湿循環運転の第２動作における空気の流れを示す調湿装置の概略の平面図、右側面図、及び左側面図である。
【図１１】加湿循環運転の第１動作における空気の流れを示す調湿装置の概略の平面図、右側面図、及び左側面図である。
【図１２】加湿循環運転の第２動作における空気の流れを示す調湿装置の概略の平面図、右側面図、及び左側面図である。
【図１３】実施形態の変形例３の調湿装置を示す概略構成図であって、(Ａ)は第１動作中の動作を示すものであり、(Ｂ)は第２動作中の動作を示すものである。
【符号の説明】
【０１１１】
10    調湿装置
50    冷媒回路
51    第１吸着熱交換器（第１の吸着ユニット）
52    第２吸着熱交換器（第２の吸着ユニット）
111   第１吸着素子（第１の吸着ユニット）
112   第２吸着素子（第２の吸着ユニット）
【図１】
0005018402.tif 000002
【図２】
0005018402.tif 000003
【図３】
0005018402.tif 000004
【図４】
0005018402.tif 000005
【図５】
0005018402.tif 000006
【図６】
0005018402.tif 000007
【図７】
0005018402.tif 000008
【図８】
0005018402.tif 000009
【図９】
0005018402.tif 000010
【図１０】
0005018402.tif 000011
【図１１】
0005018402.tif 000012
【図１２】
0005018402.tif 000013
【図１３】
0005018402.tif 000014